(57)【要約】【課題】１台で大人用と子供用に対応することができる足踏み式消毒液スタンドを提供する。【解決手段】足踏み式消毒液スタンド１は、一定の高さに形成されたスタンドフレーム２、消毒液容器３の保持用としてスタンドフレームに取り付けられた保持台４、保持台４上の消毒液容器３に対する注液用の操作力を発生させるペダル５、及びペダル５による操作力を消毒液容器３に伝達する操作力伝達機構６を備えており、スタンドフレーム２への保持台３の取付け高さ位置を変更可能に構成されている。【選択図】図３
2011182859.tif 000002
【特許請求の範囲】
【請求項１】
一定の高さに形成されたスタンドフレーム、消毒液容器の保持用として前記スタンドフレームに取り付けられた保持台、前記保持台に保持された前記消毒液容器に対する注液用の操作力を発生させるペダル、及び前記ペダルによる操作力を前記消毒液容器に伝達する操作力伝達機構を備え、利用者が前記ペダルを踏み込むことで前記消毒液容器から消毒液の注液を行う足踏み式消毒液スタンドであって、
前記スタンドフレームへの前記保持台の取付け高さ位置を変更可能としたことを特徴とする足踏み式消毒液スタンド。
【請求項２】
前記操作力伝達機構は、一端が前記ペダルに接続された操作力伝達ワイヤ、及び前記操作力伝達ワイヤを介して伝わる操作力により前記消毒液容器の操作部を押圧して前記消毒液容器から注液が行われるように前記操作力伝達ワイヤの他端に接続された押圧体を備え、前記操作力伝達ワイヤは、前記操作力の伝達に機能するインナワイヤと前記インナワイヤを摺動可能に保持する管状のアウタワイヤで構成されていることを特徴とする請求項１に記載の足踏み式消毒液スタンド。
【請求項３】
前記スタンドフレームは、前記保持台を着脱可能に取り付ける取付部を異なる高さ位置に複数個所有しており、前記複数個所の取付部を選択的に用いることで前記保持台の取付け高さ位置を変更するように構成されていることを特徴とする請求項１又は請求項２に記載の足踏み式消毒液スタンド。
【請求項４】
前記保持台は、前記取付部への取付けに際し、前記取付部の上下方向で取付位置を調整できるように構成されていることを特徴とする請求項３に記載の足踏み式消毒液スタンド。
【請求項５】
前記保持台の取付け高さ位置を低位置に変えた際に前記操作力伝達ワイヤに生じる弛みを収容可能なボトムスペースが前記スタンドフレームの底部に設けられていることを特徴とする請求項２乃至請求項４のいずれか１項に記載の足踏み式消毒液スタンド。
【請求項６】
前記消毒液容器の予備を保管可能なボトムスペースが前記スタンドフレームの底部に設けられていることを特徴とする請求項２乃至請求項４のいずれか１項に記載の足踏み式消毒液スタンド。
【請求項７】
前記保持台の取付け高さ位置を低位置に変えた際に前記操作力伝達ワイヤに生じる弛みを収容可能とするとともに、前記消毒液容器の予備を保管可能とするボトムスペースが前記スタンドフレームの底部に設けられていることを特徴とする請求項２乃至請求項４のいずれか１項に記載の足踏み式消毒液スタンド。
【請求項８】
前記消毒液容器のノズル部を挿通するための注液開口部を残して前記スタンドフレームの前面を覆う化粧パネルを備え、前記化粧パネルは、複数の部分パネルを有するとともに、前記複数枚の部分パネルの少なくとも一部が着脱可能に前記スタンドフレームに取り付けられており、取付け高さ位置が異なる前記部分パネルを交換することで、前記注液開口部の高さ位置を前記保持台の取付け高さ位置に応じて変更できるように構成されていることを特徴とする請求項１乃至請求項７のいずれか１項に記載の足踏み式消毒液スタンド。
【請求項９】
前記消毒液容器から注液される消毒液を受ける受け皿を備え、前記受け皿は、前記注液開口部の下端縁を画定する前記部分パネルに係止されていることを特徴とする請求項８に記載の足踏み式消毒液スタンド。
【請求項１０】
前記スタンドフレームの下端部に取り付けられた走行輪と、前記スタンドフレームから上方に突出するハンドル部とを備え、前記ハンドル部で引きつつ前記走行輪による走行を行わせて移動可能に構成されていることを特徴とする請求項１乃至請求項９のいずれか１項に記載の足踏み式消毒液スタンド。
【発明の詳細な説明】
【技術分野】
【０００１】
本発明は、手の消毒のための消毒液を消毒液容器から足踏み操作で注液する足踏み式消毒液スタンドに関し、特に、不特定多数の人々が出入りする場所で用いるのに好適な足踏み式消毒液スタンドに関する。
【背景技術】
【０００２】
昨今は、新型インフルエンザの流行を契機に、インフルエンザの予防対策として有効である手の消毒について関心が高まっている。そうした関心の高まりを受けて、手を簡易に消毒する（以下では「簡易消毒」と記載する）ことが可能なように、消毒液を手に注げるようにした器具や装置の設置が様々な場所で行われるようになってきている。
【０００３】
簡易消毒用の器具や装置には様々な形態のものがある。代表的な一つの形態は、利用者が手動で操作部を操作することで消毒液の注液がなされる手動操作式の簡易消毒用器具である（例えば、特許文献１参照）。代表的な他の一つの形態は、利用者が立ったまま手を差し出して消毒液を受けることができるように、スタンドに保持させた押圧操作式の消毒液容器をペダルの踏込みで操作して注液させる足踏み式消毒液スタンドである（例えば、特許文献２参照）。
【０００４】
手動操作式の簡易消毒用器具は、構造が単純で優れているものの、利用者が操作部に手を触れる必要があり、不特定多数者による利用の場合、利用者に衛生上の懸念をもたらすという欠点がある。これに対して、足踏み式消毒液スタンドは、足による履物越しの操作で足り、直接的な接触が不要となることから、不特定多数者による利用の場合であっても上記の問題は避けることができる。こうしたことから、不特定の多数者を対象とする簡易消毒について対応が求められる場所、例えばデパートやスーパーのような大型小売店舗、行政関係の庁舎、病院などでは、足踏み式消毒液スタンドを用いる方がより好適である。
【先行技術文献】
【特許文献】
【０００５】
【特許文献１】実開昭６４−２６２９４号公報
【特許文献２】特許第３４５１５２１号公報
【発明の概要】
【発明が解決しようとする課題】
【０００６】
上述のように足踏み式消毒液スタンドは、利用者が不特定多数である場合の簡易消毒対応に有効である。しかし、特許文献２に記載のような従来の足踏み式消毒液スタンドでは、以下のような課題が存在する。
【０００７】
デパートやスーパーなどでは、大人に混ざって子供も多数出入りする。したがって、足踏み式消毒液スタンドが設置されていれば、それを子供も多数利用することになる。しかしながら、従来の足踏み式消毒液スタンドは、消毒液容器の高さ位置が固定となっている。そのため、消毒液容器の高さ位置を大人に合わせていると、子供は消毒液容器から注液される消毒液をうまく手に受けることができなかったり、手に受けるのに無理な姿勢を強いられることになる。一方、消毒液容器の高さ位置を子供に合わせると、大人はかがんだ姿勢で利用しなければならなくなり、かなり使い勝手の悪いものとなる。
【０００８】
このような問題には、消毒液容器の高さ位置を異ならせた大人用と子供用のそれぞれの足踏み式消毒液スタンドを設置することで対応することは可能である。しかしながら、このように足踏み式消毒液スタンドを大人用と子供用の２種類とすることは、足踏み式消毒液スタンドのメーカ側からすれば、製造工程管理や製品管理が繁雑化し、コストアップを招くことになる。一方、足踏み式消毒液スタンドの設置者側にとっては、コストアップを招くばかりでなく、大人と子供それぞれの利用状況に基づいて足踏み式消毒液スタンドの購入や管理を行う必要があるなど、管理上の負担が大きくなる。
【０００９】
本発明の目的は、１台で大人用と子供用に対応することができる足踏み式消毒液スタンドを提供することにある。
【課題を解決するための手段】
【００１０】
上記課題を解決するために第１の発明では、一定の高さに形成されたスタンドフレーム、消毒液容器の保持用として前記スタンドフレームに取り付けられた保持台、前記保持台に保持された前記消毒液容器に対する注液用の操作力を発生させるペダル、及び前記ペダルによる操作力を前記消毒液容器に伝達する操作力伝達機構を備え、利用者が前記ペダルを踏み込むことで前記消毒液容器から消毒液の注液を行う足踏み式消毒液スタンドにおいて、前記スタンドフレームへの前記保持台の取付け高さ位置を変更可能としたことを特徴としている。
【００１１】
第１の発明は、消毒液容器を保持する保持台のスタンドフレームへの取付け高さ位置を変更可能としている。したがって、消毒液容器の高さ位置を大人用と子供用について選択的に設定することができ、１台の足踏み式消毒液スタンドで大人用と子供用に対応することができる。その結果、足踏み式消毒液スタンドのメーカ側における製造工程管理や製品管理の繁雑化を防止でき、コストアップを防止することができる。また、足踏み式消毒液スタンドの設置者側におけるコストアップや管理上の負担の増大についても防止することができる。
【００１２】
第２の発明では、上記第１の発明において、前記操作力伝達機構は、一端が前記ペダルに接続された操作力伝達ワイヤ、及び前記操作力伝達ワイヤを介して伝わる操作力により前記消毒液容器の操作部を押圧して前記消毒液容器から注液が行われるように前記操作力伝達ワイヤの他端に接続された押圧体を備え、前記操作力伝達ワイヤは、前記操作力の伝達に機能するインナワイヤと前記インナワイヤを摺動可能に保持する管状のアウタワイヤで構成されていることを特徴としている。
【００１３】
第２の発明では、ペダルの踏み込みで発生する注液用の操作力を操作力伝達ワイヤで伝達し、しかもその操作力伝達ワイヤをインナワイヤとアウタワイヤで構成する。インナワイヤとアウタワイヤで構成される操作力伝達ワイヤは、例えば自転車のブレーキワイヤと同様な構造を有しており、途中に弛みがあっても操作力を確実に伝達できる。第２の発明は、このような操作力伝達特性を有する操作力伝達ワイヤで操作力を伝達する構造とすることで、１台の足踏み式消毒液スタンドで大人用と子供用に対応する際の操作力伝達距離の変化への対応を容易にするとともに、その対応のために必要となる構造の簡素化を図っている。
【００１４】
第３の発明では、上記第１の発明又は第２の発明において、前記スタンドフレームは、前記保持台を着脱可能に取り付ける取付部を異なる高さ位置に複数個所有しており、前記複数個所の取付部を選択的に用いることで前記保持台の取付け高さ位置を変更するように構成されていることを特徴としている。
【００１５】
第３の発明のように、スタンドフレームに保持台を着脱可能に取り付ける取付部を異なる高さ位置で複数個所設けることにより、選択する消毒液容器の高さ位置が自ずと定まり、設置者側において消毒液容器の高さ位置をいちいち設定する必要がなくなるため、使い勝手がよくなる。ここで、「異なる高さ位置で複数」における「複数」は、例えば大人用と子供用として２者択一とする場合であれば２となり、さらに子供用を幼稚園児用と小学生用とに分けるような場合には３となる。
【００１６】
第４の発明では、上記第３の発明において、前記保持台は、前記取付部への取付けに際し、前記取付部の上下方向で取付け位置を調整できるように構成されていることを特徴としている。
【００１７】
消毒液容器には容器高さの異なるものがあり、取付部により定まる消毒液容器の保持高さ位置は同じでも、消毒液容器の操作部の高さ位置が消毒液容器の容器高さによって異なってしまうことがある。第４の発明によれば、取付部の上下方向で保持台の取付け位置を調整できるようにすることで、消毒液容器の容器高さの相違に対応することができる。すなわち、容器高さの異なる消毒液容器を用いる場合でも、消毒液容器の操作部の高さ位置を一定に保つことが可能となり、操作力伝達機構の押圧体による操作部の押圧を確実に行うことができる。また、消毒液容器の消毒液注液口の高さ位置を一定に保つことも可能となる。
【００１８】
第５の発明では、上記第２乃至第４の各発明のいずれか一つにおいて、前記保持台の取付け高さ位置を低位置に変えた際に前記操作力伝達ワイヤに生じる弛みを収容可能なボトムスペースが前記スタンドフレームの底部に設けられていることを特徴としている。
【００１９】
子供用の消毒液容器の高さ位置は大人用に比べて低いため、子供用の高さ位置では操作力伝達ワイヤに大きな弛みを生じる。第５の発明は、こうした操作力伝達ワイヤの弛み問題への効果的な対処を可能とする。すなわち第５の発明は、スタンドフレームの底部に設けたボトムスペースにより操作力伝達ワイヤの弛みを無理なく収容することで、弛みが操作力伝達ワイヤの機能を阻害するのを防止できる。また、弛み発生時の操作力伝達ワイヤのスタンドフレーム内での収まりをすっきりさせることができる。
【００２０】
第６の発明では、上記第２乃至第４の各発明のいずれか一つにおいて、前記消毒液容器の予備を保管可能なボトムスペースが前記スタンドフレームの底部に設けられていることを特徴としている。
【００２１】
スタンドフレームの底部に予備の消毒液容器を保管することが可能となり、使い勝手をさらに高めることができる。
【００２２】
第７の発明では、上記第２乃至第４の各発明のいずれか一つにおいて、前記保持台の取付け高さ位置を低位置に変えた際に前記操作力伝達ワイヤに生じる弛みを収容可能とするとともに、前記消毒液容器の予備を保管可能とするボトムスペースが前記スタンドフレームの底部に設けられていることを特徴としている。
【００２３】
第７の発明では、スタンドフレームの底部に設けたボトムスペースにより、操作力伝達ワイヤの弛みを収容すると共に、予備の消毒液容器を保管する。このように１つのスペースを２つの用途に共用することで、スタンドフレーム内のスペースを有効活用することができる。
【００２４】
第８の発明では、上記第１乃至第７の各発明のいずれか一つにおいて、前記消毒液容器のノズル部を挿通するための注液開口部を残して前記スタンドフレームの前面を覆う化粧パネルを備え、前記化粧パネルは、複数の部分パネルを有するとともに、前記複数枚の部分パネルの少なくとも一部が着脱可能に前記スタンドフレームに取り付けられており、取付け高さ位置が異なる前記部分パネルを交換することで、前記注液開口部の高さ位置を前記保持台の取付け高さ位置に応じて変更できるように構成されていることを特徴としている。
【００２５】
足踏み式消毒液スタンドは、例えばデパートやスーパーに設置される場合であれば、デパートやスーパーの買い物客へのサービスとして用いられるのが通常である。このため、足踏み式消毒液スタンドには見栄えのよさが求められる。第８の発明は、スタンドフレームの前面を化粧パネルで覆うことで見栄えを向上できる。なお、化粧パネルを設ける場合には、化粧パネルで覆うことに伴って必要となる注液開口部の高さ位置を消毒液容器の高さ位置に応じて変更できるようにする必要がある。第８の発明によれば、化粧パネルを構成する部分パネルを交換するだけで注液開口部の高さ位置を消毒液容器の高さ位置に応じて変更することができ、注液開口部の高さ位置変更を簡単な作業で済ませることができる。
【００２６】
第９の発明では、上記第８の発明において、前記消毒液容器から注液される消毒液を受ける受け皿を備え、前記受け皿は、前記注液開口部の下端縁を画定する前記部分パネルに係止されていることを特徴としている。
【００２７】
受け皿を設けて消毒液容器から注液される消毒液を受けることで、消毒液がいたずらに飛散するのを防止でき、使い勝手がよくなる。なお、受け皿を設ける場合には、注液開口部の場合と同様に、受け皿の高さ位置を消毒液容器の高さ位置に応じて変更できるようにする必要がある。第９の発明によれば、受け皿を注液開口部の下端縁を画定する部分パネルに係止する構造とすることから、部分パネルの交換による注液開口部の高さ位置変更と同時に受け皿の高さ位置変更も行うことができ、受け皿の高さ位置変更を簡単な作業で済ませることができる。
【００２８】
第１０の発明では、上記第１乃至第９の各発明のいずれか一つにおいて、前記スタンドフレームの下端部に取り付けられた走行輪と、前記スタンドフレームから上方に突出するハンドル部とを備え、前記ハンドル部で引きつつ前記走行輪による走行を行わせて移動可能に構成されていることを特徴としている。
【００２９】
足踏み式消毒液スタンドは、様々な場所に設置して用いられるため、移動が容易であることが望まれる。第１０の発明によれば、スタンドフレームに設けたハンドル部を手にして走行輪による走行を行わせることで、足踏み式消毒液スタンドを容易に移動させることができる。
【発明の効果】
【００３０】
以上のような本発明によれば、１台の足踏み式消毒液スタンドで大人用と子供用に対応することができる。
【図面の簡単な説明】
【００３１】
【図１】本発明の一実施形態による足踏み式消毒液スタンドの外観と内部構造を示す側面図及び側断面図である。
【図２】図１の足踏み式消毒液スタンドの外観を示す正面図である。
【図３】図１の足踏み式消毒液スタンドの正面視方向での内部構造を保持台取付け後と保持台取付け前の状態について示す図である。
【図４】スタンドフレームの横断面図である。
【図５】保持台の取付部への取付構造を示す斜視図である。
【図６】操作力伝達機構の構成を模式化して示す図である。
【図７】押圧体の内部構造を示す側断面図である。
【図８】押圧体の外観を示す正面図である。
【図９】スタンドフレームの係止部材と部分パネルの係止構造を示す図である。
【図１０】部分パネルと受け皿の係止構造を示す図である。
【図１１】子供用にセットした場合の足踏み式消毒液スタンドの内部構造を示す側断面図及び正面図である。
【図１２】図１１の足踏み式消毒液スタンドの外観を示す正面図である。
【発明を実施するための形態】
【００３２】
図１乃至図４に、本発明の一実施形態である足踏み式消毒液スタンドの構成を示す。図１は、外観と内部構造を側面視方向について示し、図２は、正面視方向での外観を示し、図３は、正面視方向での内部構造を保持台取付け後と保持台取付け前について示し、図４は、足踏み式消毒液スタンドの横断面を示している。これらの図を参照しながら、まず足踏み式消毒液スタンド１の概略構造について説明する。
【００３３】
足踏み式消毒液スタンド１は、一定の高さに形成されたスタンドフレーム２、消毒液容器３の保持用としてスタンドフレーム２に取り付けられた保持台４、保持台４上の消毒液容器３に対する注液用の操作力を発生させるペダル５、ペダル５による操作力を消毒液容器３に伝達する操作力伝達機構６、スタンドフレーム２の前面を覆う化粧パネル７、及び消毒液容器３から注液される消毒液を受ける受け皿８を備えている。
【００３４】
この足踏み式消毒液スタンド１は、利用者（図示せず）がペダル５を踏み込むと、注液用の操作力が発生する。その操作力は、操作力伝達機構６の操作力伝達ワイヤ１１を介して操作力伝達機構６の押圧体１２に伝わり、これを受けて押圧体１２が消毒液容器３のポンプ部（操作部）１３を押圧する。その結果、ポンプ部１３が作動して消毒液容器３のノズル部１４から消毒液が噴射的に注液され、受け皿８の上に差し出されている利用者の手に消毒液が注がれて簡易消毒がなされる。このとき、利用者の手から漏れた消毒液は受け皿８で受けられる。
【００３５】
スタンドフレーム２は、足踏み式消毒液スタンド１の骨格をなしており、箱形フレーム１５にパイプフレーム１６を組み合わせて構成されている。箱形フレーム１５は、図４に示すように、薄い鋼板を用いて細長く浅い箱形に形成されており、その箱形における長手方向を上下方向とし、前面側を開放している。また箱形フレーム１５は、内部に取付部材１７と係止部材１８が設けられ、下端部の後面に走行輪となるキャスタ１９が取り付けられている。このキャスタ１９は、足踏み式消毒液スタンド１の通常の設置状態において床に触れない高さに取り付けられている。
【００３６】
取付部材１７は、薄い鋼板を用いて細長く浅い溝形のパネル状に形成され、その幅は箱形フレーム１５の幅より狭く、長さは箱形フレーム１５の長さより短く構成されている。この取付部材１７は、箱形フレーム１５内の背面中央部に組み付けられている。
【００３７】
また取付部材１７は、図３に示すように、保持台４を取り付けるための取付部として、上段保持台取付部２１ｕと下段保持台取付部２１ｄを有している。また取付部材１７は、操作力伝達機構６の押圧体１２を取り付けるための取付部として、上段押圧体取付部２２ｕと下段押圧体取付部２２ｄを有している。上段保持台取付部２１ｕと上段押圧体取付部２２ｕが保持台４と押圧体１２を上段に取り付けるための上段取付部対を構成し、下段保持台取付部２１ｄと下段押圧体取付部２２ｄが保持台４と押圧体１２を下段に取り付けるための下段取付部対を構成する。
【００３８】
上段保持台取付部２１ｕと下段保持台取付部２１ｄは、取付部材１７における高さ位置が異なるだけで同じ構造であり、取付部材１７の上下方向中心線に沿って２つのねじ孔２３を一定の間隔で上下方向に配列した構成となっている。また上段押圧体取付部２２ｕと下段押圧体取付部２２ｄは、取付部材１７における高さ位置が異なるだけで同じ構造であり、取付部材１７の左右各側縁に沿って２つ（左右で計４つ）のねじ孔２４を一定の間隔で上下方向に配列した構成となっている。
【００３９】
係止部材１８は、化粧パネル７を係止するための部材である。この係止部材１８は細い金属角パイプで構成されており、箱形フレーム１５の前面開口の左右各端縁に設けられている。この係止部材１８には、箱形フレーム１５の幅方向内側に突出する係止ダボ２５が上下方向に所定の間隔で配列するように設けられている。
【００４０】
パイプフレーム１６は、パイプ材で形成される横フレーム部２６に、同じくパイプ材で形成される縦フレーム部２７を直交するように組み合わせて構成されている。横フレーム部２６は、長方形の長辺の一辺を開放した形状に構成され、幅寸法が箱形フレーム１５の幅と同じ程度で、奥行き寸法が箱形フレーム１５の奥行きの２倍程度となっている。また横フレーム部２６には、ペダル５を回動可能に支持するための支持構造が設けられている。具体的には、後述の図６に示すように、前側の側辺から内側に向けて支点ブラケット２８が突設され、その支点ブラケット２８に支点軸２９が取り付けられている。
【００４１】
縦フレーム部２７は、長方形の短辺の一辺を開放とした形状に構成され、幅寸法が横フレーム部２６の幅と同じで、長さが箱形フレーム１５の長さより一定サイズだけ長いサイズとなっている。縦フレーム部２７の上端側は、箱形フレーム１５より長いサイズ分について傾斜し、ハンドル部３１となるように構成されている。この縦フレーム部２７は、左右各下端を横フレーム部２６の左右各側辺に溶接などで接合することで、横フレーム部２６に対し直交するように組み合わされている。また縦フレーム部２７の横フレーム部２６への接合位置は、その位置から後側が箱形フレーム１５の奥行き寸法と同じ程度になる位置となっている。
【００４２】
このような構成であるパイプフレーム１６は、縦フレーム部２７が箱形フレーム１５の前面開口の縁に沿い、また横フレーム部２６が縦フレーム部２７との接合位置から後側で箱形フレーム１５の底部外縁を支持する状態で、箱形フレーム１５に組み合わされている。したがって縦フレーム部２７のハンドル部３１が箱形フレーム１５の上端から突出することになる。このハンドル部３１は、箱形フレーム１５の後面に取り付けてあるキャスタ１９とともに、足踏み式消毒液スタンド１を移動する際に用いられる。すなわち、ハンドル部３１を握ってキャスタ１９が床に触れる状態まで足踏み式消毒液スタンド１を後側に傾けた状態にすれば、軽く引くだけで足踏み式消毒液スタンド１を容易に移動させることができる。
【００４３】
次に、足踏み式消毒液スタンド１の各部分の詳細構造について説明する。図５に、保持台４の取付部２１（上段保持台取付部２１ｕ又は下段保持台取付部２１ｄ）への取付構造を示す。この図５に示すように、保持台４は、長方形の薄い鋼板を折り曲げて形成されており、それぞれ平板状である固定部３２、載置部３３、及びベルト保持部３４を有している。
【００４４】
固定部３２は、保持台ねじ３６によるねじ止めにより、保持台４を取付部材１７の取付部２１に取り付ける。そのために固定部３２には、取付部２１のねじ孔２３に螺合させる保持台ねじ３６を挿通するためのねじ通し孔３７が幅方向の中心位置に形成されている。このねじ通し孔３７は、上下方向に延びる長孔となっている。これにより、保持台４の取付部２１への取付け位置を、取付部２１の上下方向においてねじ通し孔３７の長さ範囲で調整することが可能となっている。その結果、消毒液容器３の容器高さが変わった場合への対応が可能となっている。
【００４５】
載置部３３は、消毒液容器３を載置する。そのために載置部３３は、固定部３２と直交するように折り曲げられ、水平方向に延設されている。
【００４６】
ベルト保持部３４は、載置部３３に載置した消毒液容器３を固定するベルト３８（図１、図３参照）を保持する。このベルト保持部３４には、左右各端部にベルト３８を通すための通し孔３９が形成されている。
【００４７】
図６に、操作力伝達機構６の構成をペダル５とともに示す。また図７に、押圧体１２の側面視方向における内部構造を示し、図８に、押圧体１２の正面視方向における外観を示す。
【００４８】
図６に示すように、ペダル５は、適度な剛性を有する薄い鋼板を折り曲げて形成されており、断面が円弧状である円弧部４１、円弧部４１に上り傾斜で連続する踏み部４２、踏み部４２に下り傾斜で連続する下り傾斜部４３、及び下り傾斜部４３に水平方向で連続するワイヤ接続部４４を有している。踏み部４２の裏面には、支点腕４５が突設されている。このペダル５は、円弧部４１で横フレーム部２６の前縁を巻き込むように設けられ、また支点腕４５を介して支点ブラケット２８の支点軸２９に回動可能に支持されている。さらにペダル５は、ワイヤ接続部４４が箱形フレーム１５の下端部に入り込むように配置されている。
【００４９】
図６に示すように、操作力伝達機構６は、押圧体１２、操作力伝達ワイヤ１１、及び戻しばね４６を備えている。押圧体１２は、図６乃至図８に示すように、可動部材４７を固定部材４８により上下動可能に支持した構成となっている。可動部材４７は、薄い鋼板を折り曲げて形成され、それぞれ平板状である押圧部４９とガイド受け部５０を有している。押圧部４９は、消毒液容器３のポンプ部１３を押圧するのに用いられる。そのために押圧部４９は、押圧体１２を取付部材１７の取付部２２（上段押圧体取付部２２ｕ又は下段押圧体取付部２２ｄ）に取り付けた際に水平な状態となる。ガイド受け部５０は、可動部材４７の上下動に際し固定部材４８によるガイドを受けるためのものである。そのためにガイド受け部５０は、押圧部４９の左右各端から下方へ垂直に延びるように延設されており、内側に向けて突出する２つのガイド受けピン５１が上下方向に配列して設けられている。
【００５０】
固定部材４８は、固定部５２とガイド部５３を有している。固定部５２は、固定部材４８を取付部材１７の取付部２２に押圧体ねじ５４によるねじ止めで固定する。すなわち、押圧体１２を取付部材１７の取付部２２に取り付ける。この固定部材４８は、取付部２２にねじ止めした際に取付部材１７に密接する。ガイド部５３は、ガイド受け部５０を介して可動部材４７の上下動をガイドする。そのためにガイド部５３は、薄い鋼板を折り曲げて形成されており、押圧体１２を取付部材１７の取付部２２に取り付けた際に垂直な状態となるガイド面部５５を左右に有し、また左右の各ガイド面部５５をつなぐつなぎ面部５６を下部に有している。そして左右の各ガイド面部５５には、可動部材４７のガイド受けピン５１に摺接する幅の長孔であるガイド孔５７が形成されており、このガイド孔５７によりガイド受けピン５１を介して可動部材４７の上下動をガイドする。
【００５１】
操作力伝達ワイヤ１１は、例えば自転車のブレーキワイヤと同様な構造であり、操作力の伝達に機能するインナワイヤ５８と、このインナワイヤ５８を内部に摺動可能に保持する管状のアウタワイヤ５９で形成されている。インナワイヤ５８は、一方側の端部と他方側の端部を露出させた状態でアウタワイヤ５９に保持されており、一方側の端部がペダル５のワイヤ接続部４４に接続され、他方側の端部が押圧体１２の押圧部４９に接続されている。
【００５２】
アウタワイヤ５９は、一端側の端部が箱形フレーム１５に固定され、他端側の端部が押圧体１２のつなぎ面部５６に固定されている。箱形フレーム１５への固定は、箱形フレーム１５の底面に設けた固定台６１に固定金具６２で固定することにより行われ、つなぎ面部５６への固定は、固定金具６２で直接的につなぎ面部５６に固定されている。
【００５３】
戻しばね４６は、圧縮ばねであり、ペダル５の踏込みで発生してインナワイヤ５８で伝達される操作力により下降動を行う可動部材４７を上昇動方向に付勢する。この戻しばね４６は、可動部材４７と固定部材４８の間、より具体的には可動部材４７の押圧部４９と固定部材４８におけるガイド部５３のつなぎ面部５６の間に介在するように設けられている。
【００５４】
以上のような構成である操作力伝達機構６は、以下のように動作する。ペダル５は、支点軸２９で回動可能に支持されていることから、利用者により図６中に矢印Ｘで示すような踏込みがなされると、図６中に想像線で示す状態に回動し、注液用の操作力を発生させる。その操作力は、インナワイヤ５８を下向きに引っ張る引張り力として発生し、インナワイヤ５８により押圧体１２の可動部材４７に伝えられる。これを受けて可動部材４７は、戻しばね４６の付勢力に抗して下降動を行い、押圧部４９で消毒液容器３のポンプ部１３を押圧して作動させる。その結果、消毒液容器３のノズル部１４から消毒液が噴射的に注液され、受け皿８の上に差し出されている利用者の手に消毒液が注がれて簡易消毒がなされる。そして簡易消毒を終えた利用者がペダル５から足を離すと、戻しばね４６の付勢力で可動部材４７が上昇動を行って元の状態に戻り、同時にペダル５もインナワイヤ５８を介して伝わる可動部材４７の上昇力（戻しばね４６の付勢力）を受けて踏込み時と逆の回動を行い、元の状態に戻る。
【００５５】
化粧パネル７は、図２に示すように、消毒液容器３のノズル部１４を挿通するための注液開口部６３を残してスタンドフレーム２の前面を覆うことができるように構成され、複数の部分パネル６４を有している。図２に示す例では、第１の部分パネル６４ａ、第２の部分パネル６４ｂ、及び第３の部分パネル６４ｃの３枚で構成されている。そして第１の部分パネル６４ａは、注液開口部６３の下端縁を画定する開口部端縁用部分パネルであり、消毒液容器３を視認しやすくするための透明部６５を有している。
【００５６】
図９に、スタンドフレーム２の係止部材１８と部分パネル６４の係止構造を示す。部分パネル６４の側面部には、係止切欠き６６が設けられており、この係止切欠き６６を係止部材１８の係止ダボ２５に係止させることで、部分パネル６４はスタンドフレーム２に取り付けられる。これにより、部分パネル６４は、スタンドフレーム２に対して着脱可能な構造となっている。この構造は、第１〜第３の各部分パネル６４ａ、６４ｂ、６４ｃに共通である。
【００５７】
このような部分パネル６４の着脱可能な構造は、後述するように保持台４のスタンドフレーム２への取付け高さ位置変更のために有用であるとともに、箱形フレーム１５の底部を予備の消毒液容器３の保管や後述する操作力伝達ワイヤ１１の弛みの収容に機能させるボトムスペース６７（図１、図３）として活用するのにも有用である。すなわち、第３の部分パネル６４ｃを着脱可能としていることにより、必要時に第３の部分パネル６４ｃを取り外すことで、ボトムスペース６７に対し予備の消毒液容器３を保管したり取り出したりする作業が容易となり、また操作力伝達ワイヤ１１の弛みを収める作業を容易に行うことが可能になる。
【００５８】
受け皿８は、上述のように、利用者の手から漏れる消毒液を受けるものである。そのために受け皿８は、注液開口部６３に近接する適切な位置に設ける必要がある。このため、開口部端縁用部分パネルである第１の部分パネル６４ａに係止されて設けられる。図１０に、第１の部分パネル６４ａと受け皿８の係止構造を示す。受け皿８は、係止爪６８が設けられた支持環６９に支持されている。支持環６９の係止爪６８が第１の部分パネル６４ａに設けられた係止孔７０に嵌合することで、受け皿８が第１の部分パネル６４ａに係止される。
【００５９】
以上のような構造である足踏み式消毒液スタンド１は、取付部材１７における上段取付部対（上段保持台取付部２１ｕと上段押圧体取付部２２ｕ）と下段取付部対（下段保持台取付部２１ｄと下段押圧体取付部２２ｄ）を選択的に用いることで、保持台４と押圧体１２の取付け高さ位置を変更し、大人用と子供用に対応することを可能とする。図１乃至図３に示すのは、大人用にセットした場合であり、保持台４と押圧体１２が上段取付部対で取り付けられ、高位置となっている。この場合、消毒液容器３のノズル部１４の高さ位置が足踏み式消毒液スタンド１の設置面から例えば１０８０ｍｍとなり、平均的な身長の大人が受け皿８の上に手を楽な姿勢で差し出すのに最適な高さとなっている。
【００６０】
図１１に、子供用にセットした場合の足踏み式消毒液スタンド１の内部構造を側面視方向と正面視方向について示し、図１２に、このときの正面視方向での外観を示す。子供用にセットする場合は、保持台４と押圧体１２を下段取付部対で取り付けて、低位置とする。またこれに伴って注液開口部６３の高さ位置も低位置に変更する。この注液開口部６３の高さ位置変更は、取付け高さ位置が異なる第１の部分パネル６４ａと第２の部分パネル６４ｂを交換することで行う。すなわち大人用セットの場合は、図２に示すように上から第１の部分パネル６４ａ、第２の部分パネル６４ｂの順であったのを、子供用セットの場合は、図１２に示すように第２の部分パネル６４ｂ、第１の部分パネル６４ａの順に変更する。これにより、注液開口部６３を下段取付部対で取り付けた保持台４で保持されている消毒液容器３に対応する高さに位置させることができる。
【００６１】
このように保持台４と押圧体１２を低位置とした場合には、上段取付部対と下段取付部対の高低差（例えば３０〜４０ｃｍ程度）に応じて、操作力伝達ワイヤ１１に大きな弛み７１が生じる。この弛み７１をボトムスペース６７により無理なく収容することで、弛み７１が操作力伝達ワイヤ１１の機能を阻害することを防止できる。また、箱形フレーム１５内での収まりをすっきりさせることができる。
【００６２】
なお、弛み７１は必ずしもボトムスペース６７内で収容する必要はない。例えば、前述したようにボトムスペース６７に予備の消毒液容器３を保管しているような場合には、当該消毒液容器３との干渉を避けるために、箱形フレーム１５内における底部以外のスペースで収容してもよい。あるいは、ボトムスペース６７における左右方向一方側で弛み７１を収容し、他方側で予備の消毒液容器３を保管するようにして、ボトムスペース６７を弛み７１の収容と予備の消毒液容器３の保管の２つの用途に共用してもよい。
【００６３】
以上説明した実施形態の足踏み式消毒液スタンド１においては、消毒液容器３を保持する保持台４のスタンドフレーム２への取付け高さ位置を変更可能な構成とする。したがって、消毒液容器３の高さ位置を大人用と子供用について選択的に設定することができ、１台の足踏み式消毒液スタンド１で大人用と子供用に対応することができる。その結果、足踏み式消毒液スタンド１のメーカ側における製造工程管理や製品管理の繁雑化を防止でき、コストアップを防止することができる。また、足踏み式消毒液スタンド１の設置者側におけるコストアップや管理上の負担の増大についても防止することができる。
【００６４】
また、本実施形態では特に、操作力伝達機構６が操作力伝達ワイヤ１１及び押圧体１２を備え、操作力伝達ワイヤ１１がインナワイヤ５８とアウタワイヤ５９を有する構成とする。インナワイヤ５８とアウタワイヤ５９で構成される操作力伝達ワイヤ１１は、例えば自転車のブレーキワイヤと同様の構造を有しており、途中に弛み７１があっても操作力を確実に伝達できる。また、このような操作力伝達特性を有する操作力伝達ワイヤ１１で操作力を伝達する構造とすることで、１台の足踏み式消毒液スタンド１で大人用と子供用に対応する際の操作力伝達距離の変化への対応を容易にするとともに、その対応のために必要となる構造の簡素化を図ることができる。
【００６５】
また、本実施形態では特に、スタンドフレーム２が、保持台４を着脱可能に取り付ける取付部２１を異なる高さ位置に２個所有しており、２箇所の取付部を選択的に用いることで保持台４の取付け高さ位置を変更する構成とする。これにより、選択する消毒液容器３の高さ位置が自ずと定まり、設置者側において消毒液容器３の高さ位置をいちいち設定する必要がなくなるため、使い勝手がよくなる。
【００６６】
また、本実施形態では特に、保持台４の取付部２１への取付けに際し、取付部２１の上下方向で保持台４の取付け位置を調整できるような構成とする。すなわち、消毒液容器３には容器高さの異なるものがあり、取付部２１により定まる消毒液容器３の保持高さ位置は同じでも、消毒液容器３のポンプ部１３の高さ位置が消毒液容器３の容器高さによって異なってしまうことがあるが、本実施形態のように取付部２１の上下方向で保持台４の取付け位置を調整できるようにすることで、消毒液容器３の容器高さの相違に対応することができる。すなわち、容器高さの異なる消毒液容器３を用いる場合でも、消毒液容器３のポンプ部１３の高さ位置を一定に保つことが可能となり、操作力伝達機構６の押圧体１２によるポンプ部１３の押圧を確実に行うことができる。また、消毒液容器３のノズル部１４の高さ位置を一定に保ち、ノズル部１４を確実に注液開口部６３に挿通することができる。
【００６７】
また、本実施形態では特に、保持台４の取付け高さ位置を低位置に変えた際に操作力伝達ワイヤ１１に生じる弛み７１を収容可能なボトムスペース６７をスタンドフレーム２の底部に設ける構成とする。これにより、子供用の消毒液容器３の高さ位置は大人用に比べて低いため、子供用の高さ位置では操作力伝達ワイヤ１１に大きな弛み７１を生じるが、この弛み７１をボトムスペース６７により無理なく収容することで、弛み７１が操作力伝達ワイヤ１１の機能を阻害するのを防止できる。また、弛み発生時の操作力伝達ワイヤ１１のスタンドフレーム２内での収まりをすっきりさせることができる。
【００６８】
また、本実施形態では特に、消毒液容器３の予備を保管可能なボトムスペース６７をスタンドフレーム２の底部に設ける構成とする。これにより、スタンドフレーム２の底部に予備の消毒液容器を保管することが可能となり、使い勝手をさらに高めることができる。
【００６９】
また、本実施形態では特に、保持台４の取付け高さ位置を低位置に変えた際に操作力伝達ワイヤ１１に生じる弛み７１を収容可能とするとともに、消毒液容器３の予備を保管可能とするボトムスペース６７をスタンドフレーム２の底部に設ける構成とする。このように１つのスペースを２つの用途に共用することで、スタンドフレーム２内のスペースを有効活用することができる。
【００７０】
また、本実施形態では特に、化粧パネル７が３つの部分パネル６４ａ〜６４ｃを有するとともに、これらの部分パネル６４ａ〜６４ｃが着脱可能にスタンドフレーム２に取り付けられており、取付け高さ位置が異なる部分パネル６４ａ，６４ｂを交換することで、注液開口部６３の高さ位置を保持台４の取付け高さ位置に応じて変更できるように構成する。このように、スタンドフレーム２の前面を化粧パネル７で覆うことで足踏み式消毒液スタンド１の見栄えを向上することができる。また、化粧パネル７を構成する部分パネル６４ａ，６４ｂを交換するだけで注液開口部６３の高さ位置を消毒液容器３の高さ位置に応じて変更することができるので、注液開口部６３の高さ位置変更を簡単な作業で済ませることができる。
【００７１】
また、本実施形態では特に、消毒液容器３から注液される消毒液を受ける受け皿８を備え、この受け皿８が注液開口部６３の下端縁を画定する部分パネル６４ａに係止される構成とする。このように、受け皿８を設けて消毒液容器３から注液される消毒液を受けることで、消毒液がいたずらに飛散するのを防止でき、使い勝手がよくなる。また、受け皿８を部分パネル６４ａに係止する構造とすることで、部分パネル６４ａの交換による注液開口部６３の高さ位置変更と同時に受け皿８の高さ位置変更も行うことができ、受け皿８の高さ位置変更を簡単な作業で済ませることができる。
【００７２】
また、本実施形態では特に、スタンドフレーム２の下端部後面にキャスタ１９を取り付け、スタンドフレーム２の上方にハンドル部３１を突出させる構成とする。すなわち、足踏み式消毒液スタンド１は、様々な場所に設置して用いられるため、移動が容易であることが望まれるが、上記構成とすることで、スタンドフレーム２に設けたハンドル部３１を手にしてキャスタ１９による走行を行わせることができ、足踏み式消毒液スタンド１を容易に移動させることができる。
【００７３】
以上、本発明を実施するための形態について説明したが、これは代表的な例に過ぎず、本発明はその趣旨を逸脱することのない範囲で様々な形態で実施することができる。例えば上記形態では、保持台の取付け高さ位置の変更を大人用と子供用の２段階のみとしたが、例えば子供用をさらに幼稚園児用と小学生用とに分ける等、３段階以上で保持台の取付け高さ位置を変更できるようにしてもよい。
【符号の説明】
【００７４】
１    足踏み式消毒液スタンド
２    スタンドフレーム
３    消毒液容器
４    保持台
５    ペダル
６    操作力伝達機構
７    化粧パネル
８    受け皿
１１    操作力伝達ワイヤ
１２    押圧体
１９    キャスタ（走行輪）
２１    取付部
３１    ハンドル部
５８    インナワイヤ
５９    アウタワイヤ
６３    注液開口部
６４    部分パネル
６７    ボトムスペース
【図１】
2011182859.tif 000003
【図２】
2011182859.tif 000004
【図３】
2011182859.tif 000005
【図４】
2011182859.tif 000006
【図５】
2011182859.tif 000007
【図６】
2011182859.tif 000008
【図７】
2011182859.tif 000009
【図８】
2011182859.tif 000010
【図９】
2011182859.tif 000011
【図１０】
2011182859.tif 000012
【図１１】
2011182859.tif 000013
【図１２】
2011182859.tif 000014